(57)【特許請求の範囲】
【請求項１】
複数本の同一番手のゴルフクラブを含み、これらゴルフクラブに互いに異なる最適なヘッドスピードを定めたゴルフクラブシリーズにおいて、
ゴルフクラブヘッドのフェース部の肉厚ｔと、スイートスポットを通る位置で測定されるフェース面の最小長さＬと、フェース部の構成材料の弾性率Ｅとから求まる値Ｌ／（Ｅｔ2 ）を、前記ヘッドスピードに関連付けヘッドスピードが増加するほど前記ｔと前記Ｌとを増加させつつ小さく設定したゴルフクラブシリーズ。
【発明の詳細な説明】
【０００１】
【発明の属する技術分野】
本発明は、複数本の同一番手のゴルフクラブを含むゴルフクラブシリーズに関し、更に詳しくは、各ゴルフクラブに最適な反発性と強度を付与するようにしたゴルフクラブシリーズに関する。
【０００２】
【従来の技術】
ゴルフクラブヘッドにおいて、ボールに対する反発性を高めるためには、フェース部を薄くするなどして、フェース部の剛性を低下させることが効果的であると知られている。ところが、フェース部を一様に薄くしていくと、その耐久性が不十分になってしまう。
【０００３】
一方、ヘッドスピードが定められたゴルフクラブにおいて、そのヘッドスピードに応じてフェース部の肉厚を変化させることが提案されている。これは、ヘッドスピードが速いほどフェース部の肉厚を厚くすることにより、ゴルフクラブヘッドの反発性と強度との両立を図ろうとするものである。
【０００４】
しかしながら、ヘッドスピードに応じて単にフェース部の肉厚を変化させるだけでは、ゴルフクラブヘッドの反発性と強度を必ずしも十分に向上することはできなかった。つまり、反発性や強度はフェース部の肉厚だけに左右されるものではなく、フェース面の形状も考慮した剛性に左右されるのである。
【０００５】
【発明が解決しようとする課題】
本発明の目的は、各ゴルフクラブに対して最適な反発性と強度を付与することを可能にしたゴルフクラブシリーズを提供することにある。
【０００６】
【課題を解決するための手段】
上記目的を達成するための本発明のゴルフクラブシリーズは、複数本の同一番手のゴルフクラブを含み、これらゴルフクラブに互いに異なる最適なヘッドスピードを定めたゴルフクラブシリーズにおいて、ゴルフクラブヘッドのフェース部の肉厚ｔと、スイートスポットを通る位置で測定されるフェース面の最小長さＬと、フェース部の構成材料の弾性率Ｅとから求まる値Ｌ／（Ｅｔ2 ）を、前記ヘッドスピードに関連付けヘッドスピードが増加するほど前記ｔと前記Ｌとを増加させつつ小さく設定したことを特徴とするものである。
【０００７】
本発明では、ゴルフクラブシリーズを構成する各ゴルフクラブのフェース部の剛性をヘッドスピードに関連付けて設定し、ゴルフクラブセットを構成する各ゴルフクラブのフェース部の剛性をクラブ長さに関連付けて設定するのである。フェース部の剛性の指標とする値Ｌ／（Ｅｔ2 ）は、支持梁における最大歪みに比例するものである。
【０００８】
そのため、上記ゴルフクラブシリーズにおいて、値Ｌ／（Ｅｔ2 ）を、ヘッドスピードが増加するほど前記ｔと前記Ｌとを増加させつつ小さく設定することにより、ヘッドスピードが速いゴルフクラブではフェース部の剛性を相対的に高くし、ヘッドスピードが遅いゴルフクラブではフェース部の剛性を相対的に低くするので、各ゴルフクラブに対して最適な反発性と強度を付与することが可能になる。つまり、ヘッドスピードが異なる個々のゴルファーの能力に応じた最適な反発性と強度を付与することができる。
【０００９】
【発明の実施の形態】
以下、本発明の構成について添付の図面を参照しながら詳細に説明する。
【００１０】
図１及び図２は本発明の実施形態からなるゴルフクラブシリーズを構成するゴルフクラブを示すものである。図１及び図２に示すように、このゴルフクラブは、フェース部１とクラウン部２とソール部３とからなる中空構造のゴルフクラブヘッド４にゴルフクラブシャフト５を装着した構成になっている。ゴルフクラブヘッド４の構成材料としては、チタンやアルミニウム等の金属を用いることができる。
【００１１】
ゴルフクラブヘッド４のフェース部１の肉厚ｔ（ｍｍ）と、スイートスポットＳＳを通る位置で測定されるフェース面１ａの最小長さＬ（ｍｍ）と、フェース部１の構成材料の弾性率Ｅ（Ｎ／ｍｍ2 ）とから求まる値Ｌ／（Ｅｔ2 ）は、支持梁における最大歪みに比例するので、フェース部１の剛性の指標となる。
【００１２】
本発明のゴルフクラブシリーズは、複数本の同一番手のゴルフクラブを含み、これらゴルフクラブに互いに異なる最適なヘッドスピードを定めたものである。同一番手のゴルフクラブとは、ロフト角度、ライ角度、クラブ長さ等が略同一に設定されたゴルフクラブである。また、各ゴルフクラブは定められたヘッドスピードに対して最も良好な撓り特性を発揮するようにシャフト構造を調整したものである。
【００１３】
上記ゴルフクラブシリーズにおいて、フェース部１の剛性の指標となる値Ｌ／（Ｅｔ2 ）を、ヘッドスピードが増加するほど前記ｔと前記Ｌとを増加させつつ小さく設定することにより、ヘッドスピードが速いゴルフクラブではフェース部１の剛性を相対的に高くし、ヘッドスピードが遅いゴルフクラブではフェース部１の剛性を相対的に低くするのである。このようにヘッドスピードに応じてフェース部１の剛性を設定するので、ヘッドスピードが異なる個々のゴルファーの能力に応じた最適な反発性と強度を付与することができる。
【００１４】
【実施例】
複数本の同一番手（１番ウッド）のゴルフクラブＡ〜Ｃを含み、これらゴルフクラブＡ〜Ｃに互いに異なる最適なヘッドスピードを定めたゴルフクラブシリーズにおいて、ゴルフクラブヘッドのフェース部の肉厚ｔと、スイートスポットを通る位置で測定されるフェース面の最小長さＬと、フェース部の構成材料の弾性率Ｅとから求まる値Ｌ／（Ｅｔ2 ）を、下記表１のように設定した実施例１及び比較例１をそれぞれ作製した。
【００１５】
これらゴルフクラブシリーズについて、下記の測定方法により、飛距離を評価し、その結果を表１に併せて示した。
【００１６】
飛距離：ゴルフクラブシリーズを構成する各ゴルフクラブについて、適当なヘッドスピードを有する１０人のゴルファーにより１０球ずつ試打を行い、その平均飛距離を求めた。評価結果は、比較例１の各ゴルフクラブを１００とし、これに対応する実施例１の各ゴルフクラブを指数にて示した。この指数値が大きいほど飛距離が大きいことを意味する。
【００１７】
【表１】
0004497267.tif 000002
【００１８】
この表１から判るように、実施例１のゴルフクラブシリーズは、値Ｌ／（Ｅｔ2 ）をヘッドスピードが増加するほど前記ｔと前記Ｌとを増加させつつ小さく設定しているので、比較例１のゴルフクラブシリーズよりも相対的に好ましい結果が得られた。
【００１９】
【発明の効果】
以上説明したように本発明によれば、複数本の同一番手のゴルフクラブを含み、これらゴルフクラブに互いに異なる最適なヘッドスピードを定めたゴルフクラブシリーズにおいて、値Ｌ／（Ｅｔ2 ）をヘッドスピードが増加するほど前記ｔと前記Ｌとを増加させつつ小さく設定するから、ヘッドスピードが異なる個々のゴルファーの能力に応じた最適な反発性と強度を付与することができる。
【図面の簡単な説明】
【図１】  本発明の実施形態からなるゴルフクラブシリーズを構成するゴルフクラブの要部を示す正面図である。
【図２】  図１のＸ−Ｘ矢視断面図である。
【符号の説明】
１  フェース部
１ａ  フェース面
２  クラウン部
３  ソール部
４  ゴルフクラブヘッド
５  ゴルフクラブシャフト
ＳＳ  スイートスポット
【図１】
0004497267.tif 000003
【図２】
0004497267.tif 000004